(57)【要約】【課題】画像にスタンプを重ねて媒体に形成する際のユーザーによる設定操作の負担を低減する。【解決手段】署名スタンプ印刷が実行された場合に署名スタンプ登録部７３により使用した署名スタンプ名を使用した写真の撮影機種名と画像サイズとに関連付けて署名関連テーブルに登録しておき、次に署名スタンプ印刷の実行が指示された場合に署名スタンプ判別部７４により使用する写真の撮影機種名と画像サイズとが一致する署名スタンプ名を署名関連テーブルから自動検索して該当する署名スタンプ名を読み出し、読み出した署名スタンプ名を用いて署名スタンプ合成部７６により署名スタンプデータ格納部７９から署名スタンプデータを読み出すと共に読み出した署名スタンプデータを写真データに合成し、合成データに基づいて印刷処理部７７により印刷処理を実行する。【選択図】図３
2011194785.tif 000002
【特許請求の範囲】
【請求項１】
画像データに基づいて画像を媒体に形成する画像形成装置であって、
前記画像データに含まれる付属情報と、スタンプとを関連付けて記憶する記憶手段と、
前記画像データを取得する画像データ取得手段と、
該取得された画像データに含まれる付属情報に基づいて前記記憶手段から対応するスタンプを選択するスタンプ選択手段と、
該選択されたスタンプを前記取得した画像データに合成すると共に該合成した画像データに基づいて画像を前記媒体に形成する画像形成手段と
を備える画像形成装置。
【請求項２】
請求項１記載の画像形成装置であって、
前記記憶手段は、前記付属情報として画像を撮影した撮影装置の機種名と、スタンプとを関連付けて記憶する手段であり、
前記スタンプ選択手段は、前記取得された画像データに含まれる機種名に基づいて前記記憶手段から対応するスタンプを選択する手段である
画像形成装置。
【請求項３】
請求項１または２記載の画像形成装置であって、
前記記憶手段は、前記付属情報として画像サイズと、スタンプとを関連付けて記憶する手段であり、
前記スタンプ選択手段は、前記取得された画像データに含まれる画像サイズに基づいて前記記憶手段から対応するスタンプを選択する手段である
画像形成装置。
【請求項４】
前記スタンプ選択手段は、前記取得された画像データに含まれる付属情報に対応するスタンプが複数個ある場合には、該複数個のスタンプのうち画像の形成に用いられた回数が多いものを優先して選択する手段である請求項１ないし３いずれか１項に記載の画像形成装置。
【請求項５】
請求項１ないし３いずれか１項に記載の画像形成装置であって、
画面を表示する表示手段を備え、
前記スタンプ選択手段は、前記取得された画像データに含まれる付属情報に対応するスタンプが複数個ある場合には、該複数個のスタンプを画像の形成に用いられた回数が多いスタンプほど上位となるよう前記表示手段に一覧表示してユーザーからの選択を受け付ける手段である
画像形成装置。
【発明の詳細な説明】
【技術分野】
【０００１】
本発明は、画像データに基づいて画像を媒体に形成する画像形成装置に関する。
【背景技術】
【０００２】
従来、この種の画像形成装置としては、画像にスタンプを重ねて印刷するものが提案されている（例えば、特許文献１参照）。この装置では、スタンプイメージの種類をユーザーの操作に基づいて選択し、選択されたスタンプイメージを画像データの所定位置に重ねて印刷を行なうものとしている。
【先行技術文献】
【特許文献】
【０００３】
【特許文献１】特開平０８−１８７６７号公報
【発明の概要】
【発明が解決しようとする課題】
【０００４】
ところで、画像データに重ねるスタンプは、ユーザーの名前などの個々のユーザーに関する情報を挙げることができる。この場合、装置を複数のユーザーで共有する場合を考えると、上述した装置では、画像に重ねるスタンプを印刷の度にユーザーが入力して設定する必要があり、煩わしい操作をユーザーに課すものとなる。
【０００５】
本発明の画像形成装置は、画像にスタンプを重ねて媒体に形成する際のユーザーによる設定操作の負担を低減することを主目的とする。
【０００６】
本発明の画像形成装置は、上述の主目的を達成するために以下の手段を採った。
【課題を解決するための手段】
【０００７】
本発明の画像形成装置は、
画像データに基づいて画像を媒体に形成する画像形成装置であって、
前記画像データに含まれる付属情報と、スタンプとを関連付けて記憶する記憶手段と、
前記画像データを取得する画像データ取得手段と、
該取得された画像データに含まれる付属情報に基づいて前記記憶手段から対応するスタンプを選択するスタンプ選択手段と、
該選択されたスタンプを前記取得した画像データに合成すると共に該合成した画像データに基づいて画像を前記媒体に形成する画像形成手段と
を備えることを要旨とする。
【０００８】
この本発明の画像形成装置では、記憶手段に画像データに含まれる付属情報とスタンプとを関連付けて記憶し、画像データを取得し、取得した画像データに含まれる付属情報に基づいて記憶手段から対応するスタンプを選択し、選択したスタンプを取得した画像データに合成すると共に合成した画像データに基づいて画像を媒体に形成する。これにより、１度スタンプを設定して記憶手段に登録しておけば、同じユーザーが同じスタンプを再設定する必要を少なくすることができ、ユーザーによる設定操作の負担を低減することができる。
【０００９】
こうした本発明の画像形成装置において、前記記憶手段は、前記付属情報として画像を撮影した撮影装置の機種名と、スタンプとを関連付けて記憶する手段であり、前記スタンプ選択手段は、前記取得された画像データに含まれる機種名に基づいて前記記憶手段から対応するスタンプを選択する手段であるものとすることもできる。こうすれば、ユーザーに対応するスタンプの選択をより適切に行なうことができる。
【００１０】
また、本発明の画像形成装置において、前記記憶手段は、前記付属情報として画像サイズと、スタンプとを関連付けて記憶する手段であり、前記スタンプ選択手段は、前記取得された画像データに含まれる画像サイズに基づいて前記記憶手段から対応するスタンプを選択する手段であるものとすることもできる。こうすれば、ユーザーに対応するスタンプの選択をより適切に行なうことができる。
【００１１】
さらに、本発明の画像形成装置において、前記スタンプ選択手段は、前記取得された画像データに含まれる付属情報に対応するスタンプが複数個ある場合には、該複数個のスタンプのうち画像の形成に用いられた回数が多いものを優先して選択する手段であるものとすることもできるし、画面を表示する表示手段を備え、前記スタンプ選択手段は、前記取得された画像データに含まれる付属情報に対応するスタンプが複数個ある場合には、該複数個のスタンプのうち画像の形成に用いられた回数が多いものほど上位となるよう該複数個のスタンプを前記表示手段に一覧表示してユーザーからの選択を受け付ける手段であるものとすることもできる。こうすれば、ユーザーによるスタンプの選択をより容易な操作により行なうことができる。
【図面の簡単な説明】
【００１２】
【図１】本実施形態であるプリンター２０の外観を示す外観斜視図。
【図２】本実施形態のプリンター２０の機能ブロックを示すブロック図。
【図３】署名印刷時の処理ブロックを示すブロック図。
【図４】署名スタンプ登録処理の一例を示すフローチャート。
【図５】署名関連テーブルの一例を示す説明図。
【図６】署名スタンプ判別処理の一例を示すフローチャート。
【図７】署名スタンプ選択画面の一例を示す説明図。
【図８】署名スタンプを付して印刷した写真の一例を示す説明図。
【発明を実施するための形態】
【００１３】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１４】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１５】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒーターなど）に電圧をかけインクを加熱して発生した気泡によりインクを加圧する方式を採用してもよい。
【００１６】
ＬＣＤ２５は、ＬＣＤコントローラー５４による表示制御を受けて文字や図形，記号などを表示する。ＬＣＤ２５は、本実施形態では、９６０ドット×２４０ドットの画素により構成されている。
【００１７】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス６９を介して互いに電気的に接続されている。
【００１８】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣから画像ファイルなどを入力したり、赤外線通信コントローラー５２からの操作信号や印刷機構４０の各部からの検出信号などを入力したりする。また、メインコントローラー６０は、メモリーカードＭＣに編集画像などを保存したり、プリンターＡＳＩＣ４８への指令信号やＬＣＤコントローラー５４への制御信号を出力したりする。
【００１９】
こうして構成された本実施形態のプリンター２０では、例えば、メモリーカードＭＣに記憶されている写真を印刷する場合には、写真選択画面によりメモリーカードＭＣに記憶されている写真の中から印刷する写真の選択を受け付け、写真が選択されると続く設定画面により選択された写真の印刷枚数や用紙サイズ，用紙種類，フチ／日付の設定を受け付け、各設定項目が選択されるとプレビュー画面を表示して印刷ボタン３８が押されるのを待つ。印刷ボタン３８が押されると、選択された写真（圧縮画像ファイル）を読み出して解凍し、解凍後のＲＧＢデータをリサイズしてＣＭＹＫデータに色変換し、色変換後のＣＭＹＫデータにハーフトーン処理を施すことにより２値化して印刷データを生成し、生成した印刷データに基づいて印刷機構４０を制御することにより印刷を実行する。また、本実施形態のプリンター２０では、設定ボタン３９が押されたときに、設定画面を表示して詳細な印刷設定を行なうことができるようになっている。詳細な印刷設定としては、写真を最適な色合いに自動補正する自動画質補正の設定や、印刷品質の設定，写真のシャープさを調整するシャープネス設定，赤目になっている写真を補正する赤目補正の設定，写真に署名スタンプを合成して印刷する署名スタンプ印刷の設定などがある。
【００２０】
本実施形態のプリンター２０では、署名スタンプ印刷が指示されると、予め登録されている署名スタンプの中からユーザーにより選択された署名スタンプやキーボードなどの入力機器を介してユーザーにより入力された署名スタンプを写真に合成して印刷を実行するが、２回目以降に同じユーザーにより署名スタンプ印刷が指示された場合には初回に用いられた署名スタンプを自動検索し、該当する署名スタンプを読み出してこれを写真に合成して印刷を実行する。以下、署名スタンプ印刷の動作をさらに詳細に説明する。
【００２１】
図３は、署名スタンプ印刷時における処理ブロックの一例を示すブロック図である。署名スタンプ印刷時における処理ブロックとしては、署名スタンプ名を設定データとして入力する設定入力部７０と、署名スタンプ印刷に用いる写真データを読み込む写真データリード部７１と、写真データリード部７１で読み込まれた写真データに含まれるＥｘｉｆ情報を解析して撮影したデジタルスチルカメラの機種名（撮影機種名）と画像サイズ（画像の幅と高さ）とを取得する写真データ解析部７２と、設定入力部７０で入力した署名スタンプ名と写真データ解析部７２で取得した撮影機種名および画像サイズとを関連付けて署名関連テーブル格納部７８に登録する署名スタンプ登録部７３と、写真データ解析部７２で取得された撮影機種名と画像サイズとに基づいて署名関連テーブルを検索して対応する署名スタンプ名を取得する署名スタンプ判別部７４と、写真データリード部７１で読み込んだ写真データを解凍，リサイズして印刷用の画像データを生成する画像データ生成部７５と、署名スタンプデータが格納されている署名スタンプデータ格納部７９と、署名スタンプ判別部７４で取得された署名スタンプ名を用いて署名スタンプデータ格納部７９から署名スタンプデータを取得すると共に取得した署名スタンプデータを画像データ生成部７５で生成された画像データに合成する署名スタンプ合成部７６と、合成データに基づいて印刷処理を実行する印刷処理部７７とを備える。なお、署名関連テーブル格納部７８と署名スタンプデータ格納部７９は、フラッシュメモリー６４内に形成されている。
【００２２】
署名スタンプ登録部７３の処理は、署名スタンプ印刷が実行されたときにメインコントローラー６０により実行される。図４は、メインコントローラー６０により実行される署名スタンプ登録処理の一例を示すフローチャートである。署名スタンプ登録処理では、まず、写真データ解析部７２で解析された写真データにＥｘｉｆ情報があるか否かを判定し（ステップＳ１００）、Ｅｘｉｆ情報がないと判定されると、何もせずに本ルーチンを終了する。一方、写真データにＥｘｉｆ情報があると判定されると、署名スタンプ名を設定入力部７０から入力すると共に（ステップＳ１１０）、Ｅｘｉｆ情報から撮影機種名と画像サイズ（画像の幅と高さ）とを入力し（ステップＳ１２０）、入力した撮影機種名と画像サイズとを用いて署名関連テーブル格納部７８に格納されている署名関連テーブルを検索する（ステップＳ１３０）。署名関連テーブル内に同一データが登録されていない場合には（ステップＳ１４０）、入力した署名スタンプ名を入力した撮影機種名と画像サイズとに関連付けて署名関連テーブル格納部７８に新規登録して（ステップＳ１５０）、本ルーチンを終了する。一方、署名関連テーブル内に同一データが登録されている場合には（ステップＳ１４０）、入力した署名スタンプ名を登録することなく本処理を終了する。図５に、署名関連テーブルの一例を示す。
【００２３】
署名スタンプ判別部７４の処理は、署名スタンプ印刷の実行が指示されたときにメインコントローラー６０により実行される。図６は、メインコントローラー６０により実行される署名スタンプ判別処理の一例を示すフローチャートである。署名スタンプ判別処理では、まず、写真データ解析部７２で解析された写真データにＥｘｉｆ情報があるか否かを判定し（ステップＳ２００）、写真データにＥｘｉｆ情報があると判定されると、Ｅｘｉｆ情報から撮影機種名と画像サイズ（画像の幅と高さ）とを入力し（ステップＳ２１０）、入力した撮影機種名と画像サイズとを用いて署名関連テーブル格納部７８に格納されている署名関連テーブルを検索する（ステップＳ２２０）。検索の結果、撮影機種名と画像サイズとが一致する該当署名スタンプ名が署名関連テーブル内に存在するか否か（ステップＳ２３０）、該当署名スタンプ名が存在すると判定されるとこの該当署名スタンプ名が複数個存在しているか否かを判定する（ステップＳ２４０）。該当署名スタンプ名が１個だけ存在していると判定されると、その該当署名スタンプ名を署名関連テーブルから読み出し（ステップＳ２５０）、読み出した署名スタンプ名を署名スタンプ合成部７６に出力して（ステップＳ２６０）、本処理を終了する。このように、署名スタンプ印刷が実行された場合に署名スタンプ登録部７３により使用した署名スタンプ名を使用した写真の撮影機種名と画像サイズとに関連付けて署名関連テーブルに登録しておくことにより、次に署名スタンプ印刷の実行が指示された場合に署名スタンプ判別部７４により使用する写真の撮影機種名と画像サイズとが一致する署名スタンプ名を署名関連テーブルから自動検索して該当する署名スタンプ名を読み出すのである。これにより、ユーザーは１度署名スタンプを設定すれば、次回以降では同一の署名スタンプを再設定する必要がない。ステップＳ２３０で該当署名スタンプ名が存在しないと判定されたりステップＳ２４０で該当署名スタンプ名が複数個存在していると判定されると、署名スタンプ選択画面を表示して（ステップＳ２７０）、署名スタンプの選択を受け付ける（ステップＳ２８０）。図７に、署名スタンプ選択画面８０の一例を示す。署名スタンプ選択画面８０は、図示するように、登録されている署名スタンプ名をその使用回数が多い順から上位に表示し、署名スタンプ名の右隣にはその署名スタンプの使用回数を表示する。ユーザーは、カーソル８０ａを希望する署名スタンプ名に合わせてＯＫボタン３６を押すことにより、署名スタンプを選択することができる。なお、署名スタンプ選択画面８０では、本実施形態では、ステップＳ２３０で該当署名スタンプ名が存在しないと判定された場合には署名関連テーブルに登録されている全ての署名スタンプ名を表示し、ステップＳ２４０で該当署名スタンプ名が複数個存在していると判定された場合には複数個の該当署名スタンプ名だけを表示するものとした。したがって、該当署名スタンプ名が複数個存在している場合には、ユーザーは、該当署名スタンプ名の中から希望する署名スタンプを選択することになる。このとき、使用回数が多い署名スタンプ名ほど上位に表示するから、頻繁に署名スタンプ印刷を行なうユーザーにとっては署名スタンプを選択し易くなる。ステップＳ２８０で署名スタンプ名が選択されなかった場合には前回使用された署名スタンプ名を読み出して（ステップＳ２９０）、署名スタンプ合成部７６に出力し（ステップＳ２６０）、署名スタンプ名が選択された場合には選択された署名スタンプ名を読み出して（ステップＳ３００）、署名スタンプ合成部７６に出力して（ステップＳ２６０）、本処理を終了する。
【００２４】
署名スタンプ合成部７６は、署名スタンプ判別部７４から出力された署名スタンプ名を入力し、入力した署名スタンプ名を用いて署名スタンプデータ格納部７９から署名スタンプデータを読み出し、読み出した署名スタンプデータと画像データ生成部７５で生成された画像データとを合成して印刷処理部７７に出力する。これにより、署名スタンプが合成された写真を印刷することができる。図８に署名スタンプ印刷により印刷した写真の一例を示す。
【００２５】
ここで、本実施形態の構成要素と本発明の構成要素との対応関係を明らかにする。本実施形態のフラッシュメモリー６４（署名関連テーブル格納部７８，署名スタンプデータ格納部７９）が本発明の「記憶手段」に相当し、写真データリード部７１が「画像データ取得手段」に相当し、署名スタンプ判別部７４が「スタンプ選択手段」に相当し、印刷処理部７７や印刷機構４０が「画像形成手段」に相当する。
【００２６】
以上説明した本実施形態のプリンター２０によれば、署名スタンプ印刷が実行された場合に署名スタンプ登録部７３により使用した署名スタンプ名を使用した写真の撮影機種名と画像サイズとに関連付けて署名関連テーブルに登録しておき、次回以降に署名スタンプ印刷の実行が指示された場合に署名スタンプ判別部７４により使用する写真の撮影機種名と画像サイズとが一致する署名スタンプ名を署名関連テーブルから自動検索して該当する署名スタンプ名を読み出し、読み出した署名スタンプ名を用いて署名スタンプ合成部７６により署名スタンプデータ格納部７９から署名スタンプデータを読み出すると共に読み出した署名スタンプデータを写真データに合成し、合成データに基づいて印刷処理部７７により印刷処理を実行するから、ユーザーは１度署名スタンプを設定すれば、次回以降では同一の署名スタンプを再設定する必要がない。また、署名関連テーブルに署名スタンプ名を撮影したユーザーを特定し易い撮影機種名と画像サイズとに関連付けて登録するから、ユーザーに対応する署名スタンプの選択をより適切に行なうことができる。しかも、今回使用する写真の撮影機種名と画像サイズとが一致する署名スタンプ名が複数個存在している場合には、署名スタンプ選択画面８０で使用回数た多い署名スタンプ名ほど上位になるよう一覧表示してユーザーによる選択を受け付けるから、頻繁に署名スタンプ印刷を行なうユーザーにとっては署名スタンプを選択し易くすることができる。
【００２７】
上述した実施形態では、署名スタンプ印刷が実行された場合に使用した署名スタンプ名を使用した写真の撮影機種名と画像サイズとに関連付けて署名関連テーブルに登録するものとしたが、これに限られず、署名スタンプ名を撮影機種名だけに関連付けるものとしてもよいし、署名スタンプ名を画像サイズだけに関連付けるものとしてもよいし、ユーザーを特定するための写真の付加情報であれば、署名スタンプを如何なる情報と関連付けるものとしても構わない。
【００２８】
上述した実施形態では、署名スタンプ選択画面８０で複数の署名スタンプ名を使用回数が多いスタンプほど上位となるように一覧表示するものとしたが、これに限られず、使用時期が新しいものほど上位となるように一覧表示するなど、如何なる順序で表示するものとしてもよい。また、該当する署名スタンプ名を全て表示するものに限られず、所定数を上限として署名スタンプ名を一覧表示するものとしてもよい。この場合、使用回数が多いものほど優先して表示するものとしたり、使用時期が新しいものほど優先して表示するものとしてもよい。
【００２９】
上述した実施形態では、署名スタンプ選択画面８０で複数の署名スタンプ名を使用回数が多いスタンプほど上位となるように一覧表示してこれらの署名スタンプの中からユーザーの選択を受け付けるものとしたが、署名スタンプ名を使用回数が最も多いスタンプを自動選択するものとしてもよいし、使用時期が最も新しいスタンプを自動選択するものとしてもよい。
【００３０】
上述した実施形態では、本発明の画像形成装置をプリンター２０に適用して説明したが、原稿の読み取りが可能なスキャナーを備えるマルチファンクションプリンターに適用するものとしたり、ＦＡＸ機能を備えるＦＡＸ装置に適用するものとしてもよい。
【００３１】
なお、本発明は上述した実施形態に何ら限定されることはなく、本発明の技術的範囲に属する限り種々の態様で実施し得ることはいうまでもない。
【符号の説明】
【００３２】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  フラッシュメモリー、６５  インターフェース（Ｉ／Ｆ）、７０  設定入力部、７１  写真データリード部、７２  写真データ解析部、７３  署名スタンプ登録部、７４  署名スタンプ判別部、７５  画像データ生成部、７６  署名スタンプ合成部、７７  印刷処理部、７８  署名関連テーブル格納部、７９  署名スタンプデータ格納部、８０  署名スタンプ選択画面、８０ａ  カーソル、ＭＣ  メモリーカード。
【図１】
2011194785.tif 000003
【図２】
2011194785.tif 000004
【図３】
2011194785.tif 000005
【図４】
2011194785.tif 000006
【図５】
2011194785.tif 000007
【図６】
2011194785.tif 000008
【図８】
2011194785.tif 000009
【図７】
2011194785.tif 000010